(57)【要約】  【課題】  コイルスプリングが傾斜した状態で組み付けられていると、軸筒とコイルスプリング、並びに、ボールペンリフィルの同軸度がずれているため、出没操作を行った際、ボールペンリフィルがコイルスプリングの内面を擦ってしまったり、強いては、最も重要なボールペンリフィルの筆記部が軸筒の内壁面に接触してしまったりして、その結果、操作感が悪くなるばかりでなく、重要な筆記部を損傷させてしまう危険性があった。  【解決手段】  軸筒内に弾撥部材によって付勢された出没体が移動自在に配置された軸筒であって、その軸筒の把持する部分に弾性を有する被覆体を配置すると共に、その被覆体を軸筒の内面に連接形成し、その内面に形成された被覆体で前記弾撥部材を保持した軸体。【選択図】  図２
2006305862.tif 000002
【特許請求の範囲】
【請求項１】
軸筒内に弾撥部材によって付勢された出没体が移動自在に配置された軸筒であって、その軸筒の把持する部分に弾性を有する被覆体を配置すると共に、その被覆体を軸筒の内面に連接形成し、その内面に形成された被覆体で前記弾撥部材を保持したことを特徴とする軸体。
【請求項２】
前記内面に形成された被覆体と出没体を接触させたことを特徴とする請求項１記載の軸体。
【請求項３】
前記軸体と被覆体を２色成形、或いは、インサート成形の要領で形成したことを特徴とする請求項１、或いは、請求項２に記載の軸体。
【発明の詳細な説明】
【技術分野】
【０００１】
本発明は、軸筒内に弾撥部材によって付勢された出没体が移動自在に配置された軸筒に関する。
【背景技術】
【０００２】
１例として、軸筒内にボールペンなどの筆記体を出没可能に配置した筆記具を挙げ説明する。軸筒内には、コイルスプリングによって後方に付勢されたボールペンリフィルが配置されている。そのボールペンリフィルの後方であって、前記軸筒の後部にはデビットカムと一般的に称される出没機構が配置されている。デビットカムの押圧体を前後動させることによってボールペンリフィルを軸筒の先端から出没させるというものである。
通常、前記コイルスプリングは軸筒内には固定されておらず、自由状態で挿着されている。組み立て性を考慮してのことである。
しかし、ボールペンリフィルの消費により、そのボールペンリフィルを交換する際に、前記コイルスプリングも軸筒から抜け落ちてしまい、煩わしい交換作業となってしまっていた。時には、コイルスプリングを紛失してしまう場合もあった。
【０００３】
【特許文献１】特開平８−１４２５７８号公報。
【特許文献１】実開平０６−０４５７９４号公報。
【発明の開示】
【発明が解決しようとする課題】
【０００４】
そこで、コイルスプリングの軸筒からの抜け落ちを防止するために、軸筒の内面にコイルスプリングを固定するための突起などを形成し、その突起にコイルスプリングの一端部を圧入・固定したものが発明された。しかし、コイルスプリングを軸筒に組み付ける際、完全には固定されず傾斜した状態で固定されてしまう場合もあった。細く長い軸筒が故に、奥深い箇所に正確に圧入するのが困難なのである。しかして、コイルスプリングが傾斜した状態で組み付けられていると、軸筒とコイルスプリング、並びに、ボールペンリフィルの同軸度がずれているため、出没操作を行った際、ボールペンリフィルがコイルスプリングの内面を擦ってしまったり、強いては、最も重要なボールペンリフィルの筆記部が軸筒の内壁面に接触してしまったりして、その結果、操作感が悪くなるばかりでなく、重要な筆記部を損傷させてしまう危険性があった。
【課題を解決するための手段】
【０００５】
本発明は、軸筒内に弾撥部材によって付勢された出没体が移動自在に配置された軸筒であって、その軸筒の把持する部分に弾性を有する被覆体を配置すると共に、その被覆体を軸筒の内面に連接形成し、その内面に形成された被覆体で前記弾撥部材を保持したことを要旨とする。
【発明の効果】
【０００６】
本発明は、軸筒内に弾撥部材によって付勢された出没体が移動自在に配置された軸筒であって、その軸筒の把持する部分に弾性を有する被覆体を配置すると共に、その被覆体を軸筒の内面に連接形成し、その内面に形成された被覆体で前記弾撥部材を保持したので、その弾撥部材を軸筒に対して正確に組み付けることができると共に、軸筒からの脱落を極力防止することができる。
【発明を実施するための最良の形態】
【０００７】
前記出没体の１例としては、シャープペンシルやボールペン、修正ペンなどの筆記具、カッターや彫刻刀、ドライバーなどの工具類、ＰＤＡ（パーソナル  デジタル  アシスタンス）や電子手帳に使用される入力ペンなど種々の例が挙げられる。
以下、ボールペンを軸筒に出没可能に配置した例を挙げ説明する。軸筒１の内部には、水性インキや油性インキを収容したボールペンリフィル２が前後動可能に配置されている。そのボールペンリフィル２は、コイルスプリングなどの弾撥部材３によって常に没入方向へ付勢されているが、軸筒１の後方に配置されているデビットカム４を操作することによってボールペンリフィル２を前進せしめ突出状態を維持させておくことができるようになっている。尚、デビットカム４は、ボールペンリフィル２の後端を受ける回転子５やその回転子５を回転・前進させるための摺動子６などから構成されているが、その摺動子６の後端には軸筒１の後端から突出した押圧部６ａが一体的に形成されている。また、ボールペンリフィル２はインキを貯留するタンク部７とそのタンク部７の前端に連結されたチップホルダ８、並びに、そのチップホルダ８の前端に連結されたチップ９と、そのチップ９の先端に回転自在に配置され筆記部となるボール１０などから構成されている。
【０００８】
前記軸筒１は、前軸１ａと後軸１ｂから構成されており、それら前軸１ａと後軸１ｂは螺合などの手段によって着脱自在に連結されているが、凹凸嵌合などの圧入手段で連結させても良く、また、分割形成するのではなく１つの軸体としても良い。本例においては、前記ボールペンリフィル２の交換の容易性を図って前軸１ａと後軸１ｂから構成し、それらを着脱可能としている。また、その前軸６の前方部は前端に向かって先細りとなる円錐形状（円錐部１１）をなしている。そして、その円錐部１１の中間部には部分的ではあるが等間隔な位置に貫通孔１２が形成されており、後述するグリップ部材の内面部が入り込んでいる。本例においては、その貫通孔１２を対向する２箇所に形成しているが、此に限定されることなく、例えば４箇所に形成しても良い。また、本例においては、円周方向に長い扇形状をなしているが、長方形状や正方形状としても良く、或いは、縦方向に長い形状としても良い。その円錐部１１には前記チップ９が出没する出没孔１３が形成されているが、その出没孔１３の前端部にはチップ９の外形とほぼ同形な縮径部１４が形成されているが、若干の隙間が形成されるようになっている。
一方、前記前軸１ａの中間部から円錐部１１に架けては弾性体からなるグリップ部材１５が被覆されている。そのグリップ部材１５は、生産性を考慮し２色成型やインサート成形の要領によって前軸１ａと一体成形されているが、グリップ部材１５を別部材として成形し前軸１ａに嵌め込んでも良い。
そのグリップ部材１５は、ウレタンゴムやエチレンアクリルゴム、エピクロルヒドリンゴム、アクリルゴム、エチレンプロピレンゴム、クロロプレンゴム、天然ゴム、イソプレンゴム、塩素化ポリエチレン、ニトリルゴム、シリコーンゴムなどのゴム材質から形成されているが、スチレン系エラストマー、オレフィン系エラストマー、エステル系エラストマー、ウレタン系エラストマーなどのエラストマーであっても良く、また、アクリル樹脂やシリコーン樹脂、フッ素樹脂、塩化ビニル、ウレタン樹脂、ポリウレタン樹脂、ポリエチレン樹脂、エラストマーゲル、ポリエチレンゲルなどの弾性樹脂であっても良い。
また、硬度としてはショアＡ硬度で３０度〜７０度に設定するのが好ましいが、５度〜８０度としてもほぼ同様な効果を得ることができる。
【０００９】
前記グリップ部材１５の前方内面部には、前記前軸１ａの円錐部１１の貫通孔１２を介して前軸１aの内面にまで連接形成されている。そして、その前軸１ａの内面に突出した部分（内面突出部１６）が前記弾撥部材３の外形部を３分の１程度埋没させた状態で接触している。つまり、この内面突出部１６が弾撥部材３を保持する部分となっており、軸筒１からの脱落を防止している。本例では、弾撥部材３であるコイルスプリングの２巻き分を内面突出部１６によって保持しているが、此に限定されることはなく、多数保持させることにより脱落の防止効果を高めても良いが、コイルスプリングとしての作用を減少させてしまう危険性もある。よって、本例の様に２巻き程度保持させるのが好ましい。尚、内面突出部１６の後部には、後部に向かって拡開する円錐部１７が形成されているが、弾撥部材３の前軸１ａに対する組み付け性を考慮したものであって、弾撥部材１５を内面突出部１６にスムーズに案内し保持させるための円錐部１７となっている。弾撥部材３を内面突出部１６に組み付ける際には、前記円錐部１７によって弾撥部材３の前端部が案内され、そして、内面突出部１６を弾性変形させながら正確に位置決めされる。ここで、多少傾斜して弾撥部材３を組み付けてしまっても、内面突出部１６の弾性変形によって徐々に適正な位置へと案内される。
【００１０】
また、前記内面突出部１６の前方には、前記ボールペンリフィル２のチップホルダ８前方部の外径よりも若干小径の内径を有する保持部１８が形成されている。つまり、ボールペンリフィル２を軸筒１から突出させた際、チップホルダ８の前方部が保持部１８に接触するようになっている（図５参照）。そして、チップホルダ８の前方部を弾性変形可能な保持部１８に接触させることによって、筆記の際にチップホルダ８がしなり、その結果、筆で筆記するような感触が得られるのである。このチップホルダ８のしなりを考慮すると、前記グリップ部材１５の硬度を３０度〜８０度の範囲が好ましい。３０度以下では使用者の好み如何によっては筆記の際に筆記部の変形量が多くなってしまい違和感がでてしまい、８０度以上ではチップホルダ８のしなりが得られず硬い筆記感が得られてしまう。
また、チップホルダ８を弾性変形可能な保持部１８で保持することによって、軸筒１に対するボールペンリフィル２のがたつきや筆記の際に発生する微振動を防止することもできる。
更に、本例においては、前記グリップ部材１５を前軸１ａの円錐部１１まで形成しているため、軸筒１の前方部を把持し筆記する使用者に対しても十分に適応できるものとなっている。
【図面の簡単な説明】
【００１１】
【図１】本発明の１例を示す正面外観図。
【図２】図１の縦断面図。
【図３】図２の要部拡大図。
【図４】図３のＡ−Ａ線断面図。
【図５】ボールペンリフィルが突出した状態を示す要部縦断面図。
【符号の説明】
【００１２】
１      軸筒
２      ボールペンリフィル
３      弾撥部材
４      デビットカム
５      回転子
６      摺動子
７      タンク部
８      チップホルダ
９      チップ
１０    ボール
１１    円錐部
１２    貫通孔
１３    出没孔
１４    縮径部
１５    グリップ部材
１６    内面突出部
１７    円錐部
１８    保持部
【図１】
2006305862.tif 000003
【図２】
2006305862.tif 000004
【図３】
2006305862.tif 000005
【図４】
2006305862.tif 000006
【図５】
2006305862.tif 000007